(57)【要約】【課題】使用するイヤホンと耳の形状に自動的に適応して、常に音響聴診器と同等な音質で聴診音を聴取できる電子聴診器を提供する。【解決手段】受音具１で集音された聴診音を信号処理した後に使用者の耳に装着されたイヤホン７，１０から出力させる電子聴診器であって、受音具１で集音した聴診音を検出する第１マイクロホン２と、受音具１に導音管３を介して接続された擬似耳４内に設置された第２マイクロホン５と、イヤホン７から使用者の外耳道内又は外耳道近傍に出力される音を検出する第３マイクロホン８と、第１マイクロホン２の出力信号を信号処理してイヤホン７，１０に出力する適応フィルタ１１を備え、第３マイクロホン８の出力信号ｙｋが第２マイクロホン５の出力信号ｄｋに近似するよう適応フィルタ１１をＬＭＳアルゴリズムにより適応制御する。【選択図】        図１
2004242849.tif 000002
【特許請求の範囲】
【請求項１】
受音具で集音された聴診音を信号処理した後に使用者の耳に装着されたイヤホンから出力させる電子聴診器であって、前記受音具で集音した聴診音を検出する第１マイクロホン又は前記受音具で受ける振動を検出する振動センサと、前記受音具に導音管を介して接続された擬似耳内に設置された第２マイクロホンと、前記イヤホンから使用者の外耳道内又は外耳道近傍に出力される音を検出する第３マイクロホンと、前記第１マイクロホン又は振動センサの出力信号を信号処理して前記イヤホンに出力する適応フィルタを備え、前記第３マイクロホンの出力信号が前記第２マイクロホンの出力信号に近似するように前記適応フィルタを適応制御することを特徴とする電子聴診器。
【請求項２】
受音具で集音された聴診音を信号処理した後に使用者の耳に装着されたイヤホンから出力させる電子聴診器であって、前記受音具で集音した聴診音を検出する第１マイクロホン又は前記受音具で受ける振動を検出する振動センサと、前記第１マイクロホン又は振動センサの出力信号を信号処理して出力する導音管と擬似耳の音響特性と同等な特性を有する補正フィルタと、前記イヤホンから使用者の外耳道内又は外耳道近傍に出力される音を検出する第３マイクロホンと、前記第１マイクロホン又は振動センサの出力信号を信号処理して前記イヤホンに出力する適応フィルタを備え、前記第３マイクロホンの出力信号が前記補正フィルタの出力信号に近似するように前記適応フィルタを適応制御することを特徴とする電子聴診器。
【請求項３】
受音具で集音された聴診音を信号処理した後に使用者の耳に装着されたイヤホンから出力させる電子聴診器であって、前記受音具で集音した聴診音を検出する第１マイクロホン又は前記受音具で受ける振動を検出する振動センサと、前記受音具で集音した聴診音が導音管を介して導かれる使用者の一方の外耳道内又は外耳道近傍に生じる音を検出する第２マイクロホンと、前記イヤホンから使用者の他方の外耳道内又は外耳道近傍に出力される音を検出する第３マイクロホンと、前記第１マイクロホン又は振動センサの出力信号を信号処理して前記イヤホンに出力する適応フィルタを備え、前記第３マイクロホンの出力信号が前記第２マイクロホンの出力信号に近似するように前記適応フィルタを適応制御することを特徴とする電子聴診器。
【請求項４】
前記第１マイクロホン又は振動センサの出力信号の代りに、前記第２マイクロホン又は前記補正フィルタの出力信号を前記適応フィルタに入力する請求項１、２又は３記載の電子聴診器。
【請求項５】
前記適応フィルタの出力信号及び／又は前記第３マイクロホンの出力信号を録音再生する録音再生手段を備えた請求項１、２、３又は４記載の電子聴診器。
【請求項６】
前記適応フィルタの出力信号及び／又は前記第３マイクロホンの出力信号を解析する解析手段を備えた請求項１、２、３、４又は５記載の電子聴診器。
【発明の詳細な説明】
【０００１】
【発明の属する技術分野】
本発明は、音響聴診器と同等な音質で聴診音を増幅又は録音再生する電子聴診器に関する。
【０００２】
【従来の技術】
器官、特に心臓および肺からの音を聴いて病気を診断するために医師によって使用される音響聴診器は、図４に示すように、受音具１００で捉えた音を導音管１０１、左右一対の副導音管１０２および左右一対のイヤーチップ１０３を経て使用者の左右の外耳道に導くよう構成されている。
しかし、音響聴診器の使用者が難聴、例えば老人性難聴のために聴力低下を来した場合、この種の音響聴診器を使用して、呼吸音などの微弱な音を聴取するのは困難である。このような問題を解決するために、図５に示すように、音響聴診器の受音具１０５にマイクロホン１０６を設け、このマイクロホン１０６の出力を増幅器１０７で電気的に増幅し、イヤホン１０８を介して装用者に聴取させる、いわゆる電子聴診器が提案されている。
また、聴診の教材とするため、或いは患者の記録のために受音具１０５に設けたマイクロホン１０６の出力を録音することも行われている。更に、複数の医師が同時に聴診を行って聴診の実習をするときに、一人が操作する受音具１０５のマイクロホン１０６の出力を分岐し、それを他の人が同時に聴取することもある。
【０００３】
しかし、この種の電子聴診器は、従来型の音響聴診器と音質が異なるため、従来型の音響聴診器を使用して学習をし、経験を積んだ使用者にとって違和感があり正確な診断ができないという問題点を有していた。即ち、従来型の音響聴診器においては、図４に示すように、受音具１００が捉えた音が導音管１０１および左右一対の副導音管１０２が有する音響特性の影響を受けて装用者の外耳道に到達するのに対し、電子聴診器においては、図５に示すように、受音具１０５が捉えた音が直接マイクロホン１０６で電気信号に変換されるため、導音管１０１および左右一対の副導音管１０２が有する音響特性の影響を受けることがない。
それに加えて電子式聴診器ではイヤホン１０８から音が送出させるため、使用するイヤホン１０８固有の電気音響特性及びそれと使用者の耳の形状との相互作用により音質が変化する。これらが両者の音質に差が生じる主な原因となり、音響聴診器で経験を積んだ使用者が正確な診断を行うことを困難にしていた。
【０００４】
そこで、イヤーチップ内にマイクロホンとイヤホンを配置し、導音管及び副導音管を通じて到達した音をマイクロホンで集音し、それをイヤホンにより外耳道内に出力することにより音響聴診器の音質に近づける聴診器が開示されている（例えば、特許文献１参照）。
また、音響聴診器の伝達関数を模擬するフィルタを備え、複数の音響聴診器の伝達関数を測定してそれを模擬するフィルタ係数を記憶し、それを切り替えて使用する電子聴診器が開示されている（例えば、特許文献２参照）。
【０００５】
【特許文献１】
特許第３１３１１５４号公報
【特許文献２】
特表平１０−５０４７４８号公報
【０００６】
【発明が解決しようとする課題】
しかし、特許文献１に記載の発明では、導音管及び副導音管内の音の伝播特性はイヤーチップがマイクロホンで閉塞されることにより音響聴診器と同じにはならない。また、イヤホンから外耳道内に音を出力する際の電気音響特性も、導音管等を伝播した音が直接外耳道に導かれる場合とは異なっていた。
また、特許文献２に記載の発明では、使用するイヤホン固有の電気音響特性及びそれと使用者の耳の形状との相互作用による音質の変化を補正することができないため、音響聴診器と同等の音質を得ることは困難であった。また、音響聴診器の伝達関数をあらかじめ計測した上で、それを模擬するフィルタ係数を記憶させるのは手間のかかることであった。
【０００７】
本発明は、従来の技術が有するこのような問題点に鑑みてなされたものであり、その目的とするところは、使用するイヤホンと耳の形状に自動的に適応して、常に音響聴診器と同等な音質で聴診音を聴取できる電子聴診器を提供しようとするものである。
【０００８】
【課題を解決するための手段】
上記課題を解決すべく請求項１に係る発明は、受音具で集音された聴診音を信号処理した後に使用者の耳に装着されたイヤホンから出力させる電子聴診器であって、前記受音具で集音した聴診音を検出する第１マイクロホン又は前記受音具で受ける振動を検出する振動センサと、前記受音具に導音管を介して接続された擬似耳内に設置された第２マイクロホンと、前記イヤホンから使用者の外耳道内又は外耳道近傍に出力される音を検出する第３マイクロホンと、前記第１マイクロホン又は振動センサの出力信号を信号処理して前記イヤホンに出力する適応フィルタを備え、前記第３マイクロホンの出力信号が前記第２マイクロホンの出力信号に近似するように前記適応フィルタを適応制御するものである。
【０００９】
請求項２に係る発明は、受音具で集音された聴診音を信号処理した後に使用者の耳に装着されたイヤホンから出力させる電子聴診器であって、前記受音具で集音した聴診音を検出する第１マイクロホン又は前記受音具で受ける振動を検出する振動センサと、前記第１マイクロホン又は振動センサの出力信号を信号処理して出力する導音管と擬似耳の音響特性と同等な特性を有する補正フィルタと、前記イヤホンから使用者の外耳道内又は外耳道近傍に出力される音を検出する第３マイクロホンと、前記第１マイクロホン又は振動センサの出力信号を信号処理して前記イヤホンに出力する適応フィルタを備え、前記第３マイクロホンの出力信号が前記補正フィルタの出力信号に近似するように前記適応フィルタを適応制御するものである。
【００１０】
請求項３に係る発明は、受音具で集音された聴診音を信号処理した後に使用者の耳に装着されたイヤホンから出力させる電子聴診器であって、前記受音具で集音した聴診音を検出する第１マイクロホン又は前記受音具で受ける振動を検出する振動センサと、前記受音具で集音した聴診音が導音管を介して導かれる使用者の一方の外耳道内又は外耳道近傍に生じる音を検出する第２マイクロホンと、前記イヤホンから使用者の他方の外耳道内又は外耳道近傍に出力される音を検出する第３マイクロホンと、前記第１マイクロホン又は振動センサの出力信号を信号処理して前記イヤホンに出力する適応フィルタを備え、前記第３マイクロホンの出力信号が前記第２マイクロホンの出力信号に近似するように前記適応フィルタを適応制御するものである。
【００１１】
請求項４に係る発明は、請求項１、２又は３記載の電子聴診器において、前記第１マイクロホン又は振動センサの出力信号の代りに、前記第２マイクロホン又は前記補正フィルタの出力信号を前記適応フィルタに入力する。
【００１２】
請求項５に係る発明は、請求項１、２、３又は４記載の電子聴診器において、前記適応フィルタの出力信号及び／又は前記第３マイクロホンの出力信号を録音再生する録音再生手段を備えた。
【００１３】
請求項６に係る発明は、請求項１、２、３、４又は５記載の電子聴診器において、前記適応フィルタの出力信号及び／又は前記第３マイクロホンの出力信号を解析する解析手段を備えた。
【００１４】
【発明の実施の形態】
以下に本発明の実施の形態を添付図面に基づいて説明する。ここで、図１は本発明に係る電子聴診器の第１の実施の形態の構成図、図２は同じく第２の実施の形態の構成図、図３は同じく第３の実施の形態の構成図である。
【００１５】
本発明に係る電子聴診器の第１の実施の形態は、図１に示すように、受音具１内に設置され受音具１で集音した聴診音を検出する第１マイクロホン２と、受音具１に導音管３を介して接続された擬似耳４内に設置された第２マイクロホン５と、第１イヤーピース６内に設置された第１イヤホン７から使用者の外耳道内又は外耳道近傍に出力される音を検出する第３マイクロホン８と、第１マイクロホン２の出力信号を信号処理して第１イヤーピース６内に設置された第１イヤホン７及び第２イヤーピース９内に設置された第２イヤホン１０に出力する適応フィルタ１１を備えている。
【００１６】
ここで、第１マイクロホン２は、マイクロホン以外の振動センサなどでもよく、受音具１を患者の体表に接触させたときに体表の振動を電気信号に変換することによって聴診音と同等の信号を得ることができるものでもよい。また、第３マイクロホン８は、外耳道内の音を受音するように設置されるが、マイクロホン自体を必ずしも外耳道内に置く必要はなく導音チューブをイヤーチップ内に設けて音を導いてもよい。
【００１７】
なお、１２は減算器、１３は遅延器、１４は可変減衰器、１５は増幅器、１６はＡ／Ｄ変換器、１７はＤ／Ａ変換器、１８はモード切換えスイッチ、１９は録音端子、２０は再生端子である。
【００１８】
導音管３は、図４に示す従来の音響聴診器の導音管１０１及び副導音管１０２と同様な約７０ｃｍの管である。
擬似耳（イヤーンシュミレータ）４は、国際規格のＩＥＣ  ６０７１１：１９８１  ”Ｏｃｃｌｕｄｅｄ−ｅａｒ  ｓｉｍｕｌａｔｏｒ  ｆｏｒ  ｔｈｅ  ｍｅａｓｕｒｅｍｅｎｔ  ｏｆ  ｅａｒｐｈｏｎｅｓ  ｃｏｕｐｌｅｄ  ｔｏ  ｔｈｅ  ｅａｒ  ｂｙ  ｅａｒ  ｉｎｓｅｒｔｓ”に適合するもので、挿入イヤホンを装着したときの平均的な人の耳と同等な音響インピーダンスを有する。従って、擬似耳４の内部には、音響聴診器を用いた場合の使用者の外耳道内部とほぼ同等な音質の音が発生する。
【００１９】
なお、擬似耳４はＩＥＣ  ６０７１１の仕様に限定されるものではなく、例えばより簡易的な構造のＩＥＣ  ６０１２６に基づくいわゆる２ｃｃカプラと呼ばれるものの他、人の耳の音響インピーダンスを模擬する装置であれば何でもよい。また、実際の音響聴診器の音質により近づけるために、導音管３と擬似耳４の結合部に僅かな隙間をもたせてもよい。
【００２０】
以上のように構成した本発明に係る電子聴診器の第１の実施の形態の動作について説明する。
使用者が第１イヤーピース６と第２イヤーピース９をそれぞれ左右の耳に装着し、受音具１を患者の体表に接触させると、受音具１で集音された聴診音は、第１マイクロホン２で電気信号に変換され、次いでＡ／Ｄ変換器１６でデジタル信号に変換された後に適応フィルタ１１で信号処理され、増幅器１５で適度に増幅されて第１イヤーピース６内に設置された第１イヤホン７及び第２イヤーピース９内に設置された第２イヤホン１０から出力される。
【００２１】
また、受音具１で集音され導音管３を介して擬似耳４内に到達した聴診音は、第２マイクロホン５で電気信号に変換され、次いでＡ／Ｄ変換器１６でデジタル信号に変換され、更に遅延器１３で遅延されて適応フィルタ１１に対する希望応答ｄｋになる。
【００２２】
また、第１イヤホン７から出力される音は、第３マイクロホン８で電気信号に変換され、次いでＡ／Ｄ変換器１６でデジタル信号に変換され、更に可変減衰器１４で減衰されて適応フィルタ１１に対する出力応答ｙｋになる。ここで、減算器１２によって希望応答ｄｋより出力応答ｙｋを減じた信号が、適応フィルタ１１に対する瞬時誤差εｋになる。
【００２３】
適応フィルタ１１では、第１マイクロホン２で電気信号に変換されＡ／Ｄ変換器１６でＡ／Ｄ変換された信号について、瞬時誤差εｋが最小となるようにＬＭＳアルゴリズムにより信号処理する。ＬＭＳアルゴリズムは演算量少なく良好に動作することが知られている。ＬＭＳアルゴリズムによる適応制御のためのフィルタ係数の更新は、次に示す式（１）による。
【００２４】
【数１】
2004242849.tif 000003
【００２５】
ここで、ＷｋとＸｋは、それぞれフィルタ係数と入力信号のベクトル（ベクトルの次数＝フィルタタップ数）である。添え字ｋはＡ／Ｄ変換された標本値数列に対応している。εｋは前記した瞬時誤差である。μは適応（収束）の速さに関係するステップサイズパラメータで、通常０．０１〜０．００１程度が適するといわれている。また、Ｗｋの補正量が入力振幅に依存するのを補正するために、μを次に示す式（２）で置きかえる手法（Ｎｏｒｍａｌｉｚｅｄ  ＬＭＳアルゴリズム）を使用している。
【００２６】
【数２】
2004242849.tif 000004
【００２７】
ここで、σ２は入力信号の平均パワー（の推定値）で、入力信号の瞬時パワーを時定数処理して得る。（Ｌ＋１）はフィルタタップ数である。ｕは定数で、これが大きい方が適応が速くなるが、大きすぎるとフィルタ特性が収束せずに振動してしまう。本発明の実施の形態では、ｕ＝０．０１を用いている。これらを含めると、フィルタ係数の更新式は次に示す式（３）になる。
【００２８】
【数３】
2004242849.tif 000005
【００２９】
また、σ２は次に示す式（４）により逐次算出される。
【００３０】
【数４】
2004242849.tif 000006
【００３１】
ｘｋは入力信号であり、αは時定数に関係する定数で、次に示す式（５）の関係になる。
【００３２】
【数５】
2004242849.tif 000007
【００３３】
ｆｓはサンプリング周波数で本発明の実施の形態では３２，０００Ｈｚ、τは１（秒）になっているが、目的とする性能によりこれ以外の数値にしてもよい。
【００３４】
適応フィルタ１１の出力信号は、Ｄ／Ａ変換器１７でアナログ信号に変換された後に、モード切換えスイッチ１８が端子Ｍに設定されているときには増幅器１５に入力され、増幅器１５の出力信号は第１イヤーピース６内に設置された第１イヤホン７及び第２イヤーピース９内に設置された第２イヤホン１０で音に変換され、これを使用者が両耳で聴取する。
【００３５】
適応フィルタ１１は瞬時誤差εｋが最小になるように、即ち出力応答ｙｋが希望応答ｄｋに近似するようにＬＭＳアルゴリズムによって自動調整を行うようになっているため、第１イヤピース６及び第２イヤピース９内には擬似耳４内に発生する音と近似した音が発生する。それにより使用者は、音響聴診器と同等な音質で聴診音を聴取できる。なお、これを精度良く実施するには、第２マイクロホン５と第３マイクロホン８に特性の同じのものを用いる必要がある。
【００３６】
また、本発明の実施の形態では可変減衰器１４の減衰量を変更することにより、聴診音の増幅度を調整できる。可変減衰器１４の減衰量を大きくすれば、第１イヤピース６内の聴診音に対してより減衰した出力応答ｙｋを希望応答ｄｋに近似させるために、適応フィルタ１１の利得が自動的に増加し、より増幅された聴診音が第１イヤホン７及び第２イヤホン１０に出力される。それにより、使用者は聴力が低下していても良好に聴診音を聴取できる。
【００３７】
適応フィルタ１１の出力信号は、録音端子１９に接続されていて、外部の録音機により録音ができる。その再生信号を再生端子２０に入力しモード切換えスイッチ１８を端子Ｐに設定すれば、録音時と同じ音質の聴診音を聞くことができる。
【００３８】
これによって聴診音を患者の記録として保存することができる。また、録音した聴診音を聴診の教材として用いることもできる。更に、録音端子１９又は再生端子２０の信号を解析装置に接続し聴診音による疾病の判別などを行えば、従来の音響聴診器に近い信号を解析に用いることができるので、解析精度が高まる。同じく、第３マイクロホン８の出力信号を解析に用いれば、更に従来の音響聴診器に近い信号を解析に用いることができる。
【００３９】
なお、本発明の実施の形態では、適応フィルタ１１の入力信号として第１マイクロホン２の出力信号を用いているが、第１マイクロホン２を省略し第２マイクロホン５の出力信号を適応フィルタ１１の入力信号とすることもできる。このようにした場合には入力信号と希望応答ｄｋが一致しているので、適応フィルタ１１では第１イヤホン７の電気音響特性と使用者の耳の形状による影響だけを補正すればよいので演算精度がよくなる。一方、第１マイクロホン２の出力信号を用いると、第１マイクロホン２は受音具１の中に設置されているので、周囲の騒音等の影響を受けずに聴診音を受音できるので性能が安定するという利点がある。
【００４０】
本発明の実施の形態におけるイヤーピース６，９は、イヤーチップ６ａ，９ａを有し外耳道に挿入して使用するようになっている。第３マイクロホン８にはイヤーチップ６ａを貫通するチューブにより外耳道内の音が入力されるようになっている。なお、イヤーチップ６ａ，９ａを挿入するイヤホン７，１０の代わりに、ヘッドホンのような耳載せ型や耳覆い型のイヤホンを用いることもできる。その場合にも、第３マイクロホン８は外耳道内またはなるべく外耳道の近傍の音を受音できるようにする。
【００４１】
次に、本発明に係る電子聴診器の第２の実施の形態は、図２に示すように、図１に示す導音管３、擬似耳４及び第２マイクロホン５に替えて補正フィルタ２５を用いている以外は、第１の実施の形態と同様な構成である。即ち、図４に示す従来の音響聴診器の導音管１０１及び副導音管１０２と同様な約７０ｃｍの管である導音管３及び擬似耳４の音響特性を補正フィルタ２５で代替するものである。
【００４２】
そこで、Ａ／Ｄ変換器１６でデジタル信号に変換された第１マイクロホン２の出力信号を補正フィルタ２５に入力した場合に、補正フィルタ２５の出力信号が第２マイクロホン５の出力信号と同等になるよう予め補正フィルタ２５の伝達関数を設定しておく。
【００４３】
そして、補正フィルタ２５の出力信号を希望応答ｄｋとし、第３マイクロホン８による出力応答ｙｋが補正フィルタ２５による希望応答ｄｋに近似するように、即ち瞬時誤差εｋが最小になるように、適応フィルタ１１がＬＭＳアルゴリズムによって適応制御される。その他の動作は第１の実施の形態と同様なので説明を省略する。
【００４４】
次に、本発明に係る電子聴診器の第３の実施の形態は、図３に示すように、受音具１で集音した聴診音が導かれる音響聴診器と同様な導音管３１と一方の副導音管３２の先端に形成されたイヤチップ３３の近傍に第２マイクロホン５が設置され、他方の副導音管３４は中断していて、使用者のもう一方の耳に第１イヤピース６を装着する構成となっている。なお、第１マイクロホン２は使用していない。
【００４５】
また、第２マイクロホン５の出力信号は、Ａ／Ｄ変換器１６でデジタル信号に変換され、更に遅延器１３で遅延されて適応フィルタ１１に対する希望応答ｄｋになると共に、適応フィルタ１１の入力信号になる。
【００４６】
そして、第３マイクロホン８による出力応答ｙｋが第２マイクロホン５による希望応答ｄｋに近似するように、即ち瞬時誤差εｋが最小になるように、適応フィルタ１１がＬＭＳアルゴリズムによって適応制御される。その他、第１の実施の形態と同様な動作の説明は省略する。
【００４７】
適応フィルタ１１の出力信号は、Ｄ／Ａ変換器１７でアナログ信号に変換された後に、モード切換えスイッチ１８が端子Ｍに設定されている時には増幅器１５に入力され、増幅器１５の出力信号は第１イヤーピース６内に設置された第１イヤホン７で出力音に変換される。
【００４８】
また、増幅器１５の出力信号は、同時に第２イヤーピース９など複数のイヤーピース２１，２３内にそれぞれ設置されたイヤホン２２，２４にも入力されており、他の使用者が同時に聴診音を聴取できる。また、適応フィルタ１１の出力信号は録音端子１９を通じて外部録音機で録音できる。
【００４９】
適応フィルタ１１は、瞬時誤差εｋが最小になるように、即ち第３マイクロホン８による出力応答ｙｋが第２マイクロホン５による希望応答ｄｋに近似するようにＬＭＳアルゴリズムによって自動調整するようになっているため、第１イヤピース６や第２イヤーピース９などを装着した耳内には、導音管３１及び副導音管３２で直接導かれて第２マイクロホン５で受音したのと近似した音が発生する。
【００５０】
第３の実施の形態によって第２イヤーピース９などを装着した複数の使用者が音響聴診器と同等な音質で同時に聴診音を聴取できるので、複数の医師が共同で聴診を行い、効率的に実習を行うことができる。
また、録音端子１９を通じて外部録音機に録音した音の再生信号を再生端子２０に入力し、モード切換えスイッチ１８を端子Ｐ側に設定すれば、録音時と同じ音質の聴診音を複数の使用者が同時に聞くことができる。
【００５１】
なお、本発明の実施の形態では、適応フィルタ１１、減算器１２、遅延器１３、可変減衰器１４を、それぞれ個別に設けて構成しているが、それぞれの機能を一括して実現する信号処理プロセサを用いて構成することができる。
【００５２】
【発明の効果】
以上説明したように請求項１に係る発明によれば、第３マイクロホンによって外耳道に実際に生成される音を監視し、それが導音管及び副導音管と同質の管及びそれに結合された擬似耳とによって模擬された音響聴診器の出力音に近似するように制御されるので、イヤホンの電気音響特性と使用者の耳の形状に関わらず、音響聴診器と同等な音質で聴診音を聴取できる。
【００５３】
請求項２に係る発明によれば、第３マイクロホンによって外耳道に実際に生成される音を監視し、補正フィルタを設けることにより、音響聴診器の導音管と副導音管及び擬似耳を設けることなく、イヤホンの電気音響特性と使用者の耳の形状に関わらず、音響聴診器と同等な音質で聴診音を聴取できる。
【００５４】
請求項３に係る発明によれば、第３マイクロホンによって外耳道に実際に生成される音を監視し、擬似耳を設けることなく、イヤホンの電気音響特性と使用者の耳の形状に関わらず、音響聴診器と同等な音質で聴診音を聴取できる。
【００５５】
請求項４に係る発明によれば、第２マイクロホンの出力信号を適応フィルタの入力信号とすると、入力信号と希望応答が一致しているので、適応フィルタでは第１イヤホンの電気音響特性と使用者の耳の形状による影響だけを補正すればよいので演算精度がよくなる。
【００５６】
請求項５に係る発明によれば、適応フィルタの出力信号を外部の録音機により録音ができ、また録音時と同じ音質の聴診音を再生して聞くことができる。
【００５７】
請求項６に係る発明によれば、聴診音に基づく診断技術の向上に寄与することができる。
【図面の簡単な説明】
【図１】本発明に係る電子聴診器の第１の実施の形態の構成図
【図２】本発明に係る電子聴診器の第２の実施の形態の構成図
【図３】本発明に係る電子聴診器の第３の実施の形態の構成図
【図４】音響聴診器の模式図
【図５】従来の電子聴診器の構成図
【符号の説明】
１…受音具、２…第１マイクロホン、３…導音管、４…擬似耳、５…第２マイクロホン、６…第１イヤーピース、７…第１イヤホン、８…第３マイクロホン、９…第２イヤーピース、１０…第２イヤホン、１１…適応フィルタ、１２…減算器、１３…遅延器、１４…可変減衰器、１５…増幅器、１６…Ａ／Ｄ変換器、１７…Ｄ／Ａ変換器、１８…モード切換えスイッチ、１９…録音端子、２０…再生端子、２５…補正フィルタ、３１…導音管、３２，３４…副導音管、３３…イヤチップ。
【図１】
2004242849.tif 000008
【図２】
2004242849.tif 000009
【図３】
2004242849.tif 000010
【図４】
2004242849.tif 000011
【図５】
2004242849.tif 000012